(57)【特許請求の範囲】
【請求項１】
遊技機本体の前部に上部構造体と所定構造体とが上下に隣接して配置され、少なくとも前記上部構造体は開閉可能に枢支され且つ閉状態で所定の解錠操作により解除可能な状態にロック可能であり、前記所定構造体に、遊技者が操作可能な操作部を備えた操作ユニットが着脱可能に装着された遊技機において、前記操作ユニットの前記所定構造体からの離脱を阻止する離脱阻止手段を、所定の解除操作部を操作することにより解除可能な状態で前記所定構造体に固定する複数の固定手段を備え、前記固定手段は、所定領域に配置される第１固定手段と、前記離脱阻止手段に含まれる特定離脱阻止手段を固定する第２固定手段と、前記操作ユニット上の被固定部を固定する特定固定手段とを含み、前記所定領域に、前記第１固定手段の前記解除操作部を外部から視認不可能な状態に覆うカバーシートを貼着し、前記特定固定手段の前記解除操作部を所定部により操作不可能な状態に覆うように前記特定離脱阻止手段を配置し、前記第２固定手段を、前記特定離脱阻止手段における前記所定部以外の位置であって、前記上部構造体を閉じた状態ではその上部構造体によって前記第２固定手段の前記解除操作部が操作不可能な状態となり、前記上部構造体を開いた状態では前記第２固定手段の前記解除操作部が操作可能な状態となる位置に配置したことを特徴とする遊技機。
【請求項２】
前記操作ユニットは、前記操作部を備えた操作本体部と本体カバーとを備え、前記本体カバーを前記所定構造体から取り外さなければ前記操作本体部を取り外すことができないように構成されており、前記本体カバーの前記所定構造体からの離脱を阻止する前記離脱阻止手段及び／又は前記本体カバーを前記第２固定手段によって前記所定構造体に固定したことを特徴とする請求項１に記載の遊技機。
【請求項３】
前記操作ユニットは、前記操作部を備えた操作本体部と本体カバーとを備え、前記本体カバーを前記所定構造体から取り外さなければ前記操作本体部を取り外すことができないように構成されており、前記本体カバーの前記所定構造体からの離脱を阻止する前記離脱阻止手段及び／又は前記本体カバーを前記第１固定手段によって前記所定構造体に固定したことを特徴とする請求項１又は２に記載の遊技機。
【請求項４】
前記離脱阻止手段又は前記操作ユニットと共に前記第１固定手段によって前記所定構造体に固定される補助装着部材を備え、前記補助装着部材の外面側に設けられた前記所定領域に前記カバーシートを貼着したことを特徴とする請求項１〜３の何れかに記載の遊技機。
【発明の詳細な説明】
【技術分野】
【０００１】
本発明は、遊技者が操作可能な演出用その他の操作部を備えた遊技機に関するものである。
【背景技術】
【０００２】
パチンコ機等の遊技機では、遊技者の遊技への関与意識を高めて興趣を増大させるべく、発射ハンドル等とは別に、チャンスボタンと呼ばれる押しボタン等の操作部を遊技機本体の前側に配置し、遊技者によるそれら操作手段の操作に応じて演出内容を変化させる、いわゆるボタン演出の機能を搭載したものが多くなっている。
【０００３】
ところで、このチャンスボタン等の操作部は、興奮状態の遊技者によって乱暴に操作される場合が多いことなどもあり、故障や破損等の不具合が比較的発生しやすくなっている。従来の遊技機では、チャンスボタン等の操作部は他の部品、例えば貯留皿ユニット等に組み込まれており、その操作部のみを着脱することは容易ではなかったため、操作部に不具合が発生した場合には、操作部以外の部品も多数搭載されている例えば貯留皿ユニットごと交換するのが通常であった。
【０００４】
しかしながら、操作部の不具合だけで例えば貯留皿ユニットごと交換するのは不経済であるため、例えば特許文献１に記載の弾球遊技機では、操作部とそれに付随する部品のみをユニット化し、その操作ユニットを貯留皿ユニット等に対して着脱可能に装着することにより、操作部の交換を低コスト且つ容易に行うことができるようになっている。
【先行技術文献】
【特許文献】
【０００５】
【特許文献１】特開２００６−１８７４３４号公報
【発明の概要】
【発明が解決しようとする課題】
【０００６】
特許文献１に記載の弾球遊技機では、操作ユニットを貯留皿ユニットに装着している固定ねじが外部に露出しており、その固定ねじを緩めるだけで操作ユニットを簡単に取り外すことができるため、一般の遊技者でも軽い気持ちで操作ユニットを取り外して持ち帰ってしまうことが考えられ、そのような行為を未然に防止すべく遊技ホール側の監視負担が増加する等の問題があった。
【０００７】
本発明は上記事情に鑑みてなされたものであり、操作ユニットの取り外しを難しくすることで操作ユニットを持ち帰る犯罪行為の発生を抑制することが可能な遊技機を提供することを目的とする。
【課題を解決するための手段】
【０００８】
本発明は、遊技機本体１の前部に上部構造体３１と所定構造体３２とが上下に隣接して配置され、少なくとも前記上部構造体３１は開閉可能に枢支され且つ閉状態で所定の解錠操作により解除可能な状態にロック可能であり、前記所定構造体３２に、遊技者が操作可能な操作部６０ａを備えた操作ユニット７０が着脱可能に装着された遊技機において、前記操作ユニット７０の前記所定構造体３２からの離脱を阻止する離脱阻止手段１２６を、所定の解除操作部１３２ａ，１３８ａ，１４３ａを操作することにより解除可能な状態で前記所定構造体３２に固定する複数の固定手段１３２，１３８，１３９，１４３を備え、前記固定手段１３２，１３８，１３９，１４３は、所定領域１３３ａに配置される第１固定手段１３８，１３９と、前記離脱阻止手段１２６に含まれる特定離脱阻止手段１２６を固定する第２固定手段１３２と、前記操作ユニット７０上の被固定部１２２を固定する特定固定手段１４３とを含み、前記所定領域１３３ａに、前記第１固定手段１３８，１３９の前記解除操作部１３８ａ，１３９ａを外部から視認不可能な状態に覆うカバーシート１４０を貼着し、前記特定固定手段１４３の前記解除操作部１４３ａを所定部により操作不可能な状態に覆うように前記特定離脱阻止手段１２６を配置し、前記第２固定手段１３２を、前記特定離脱阻止手段１２６における前記所定部以外の位置であって、前記上部構造体３１を閉じた状態ではその上部構造体３１によって前記第２固定手段１３２の前記解除操作部１３２ａが操作不可能な状態となり、前記上部構造体３１を開いた状態では前記第２固定手段１３２の前記解除操作部１３２ａが操作可能な状態となる位置に配置したものである。
【００１０】
また、前記操作ユニット７０は、前記操作部６０ａを備えた操作本体部７１と本体カバー７３とを備え、前記本体カバー７３を前記所定構造体３２から取り外さなければ前記操作本体部７１を取り外すことができないように構成されており、前記本体カバー７３の前記所定構造体３２からの離脱を阻止する離脱阻止手段１２６及び／又は前記本体カバー７３を前記第２固定手段１３２によって前記所定構造体３２に固定してもよいし、前記本体カバー７３の前記所定構造体３２からの離脱を阻止する離脱阻止手段及び／又は前記本体カバー７３を前記第１固定手段１３８，１３９によって前記所定構造体３２に固定してもよい。
【００１１】
また、前記離脱阻止手段又は前記操作ユニット７０と共に前記第１固定手段１３８，１３９によって前記所定構造体３２に固定される補助装着部材１３３を備え、前記補助装着部材１３３の外面側に設けられた前記所定領域１３３ａに前記カバーシート１４０を貼着してもよい。
【００１２】
前記操作ユニット７０は、前記操作部６０ａを備え且つ前記所定構造体３２上に設けられたベース手段７２によって所定の操作方向に移動可能な状態で支持される操作本体部７１を備え、前記操作本体部７１は、操作ベース部材７５と、この操作ベース部材７５に対して前記操作方向の一方側に着脱自在に固定され且つ前記操作部６０ａを有する操作部材６０と、前記操作ベース部材７５から前記操作方向の他方側に突設され且つ前記ベース手段７２側のガイド孔１０１に摺動自在に挿入される複数のガイドシャフト７６と、前記ガイドシャフト７６に外装され且つ前記操作ベース部材７５を前記ベース手段７２から離間する向きに弾性付勢するコイルバネ７７とを備え、前記コイルバネ７７の一端側に、前記操作ベース部材７５に係合して前記ガイドシャフト７６からの脱落を阻止する抜け止め手段８１を設けてもよい。
【００１３】
ここで、前記抜け止め手段８１は、前記コイルバネ７７の一端側から前記操作ベース部材７５の周壁に沿って前記操作部材６０側に延設され且つその先端側の係合部８１ｂが前記操作ベース部材７５の被係合部７５ａに係合しており、前記抜け止め手段８１の前記操作ベース部材７５に対する係合解除方向への移動を阻止する外れ止め部８８を前記操作部材６０に設けてもよい。
【発明の効果】
【００１４】
本発明によれば、一般の遊技者は操作ユニット７０の取り付け構造を容易に知ることができないため、軽い気持ちで操作ユニットを取り外して持ち帰ってしまう犯罪行為を抑制できる。
【図面の簡単な説明】
【００１５】
【図１】本発明の一実施形態に係るパチンコ機の全体正面図である。
【図２】同パチンコ機の分解斜視図である。
【図３】同パチンコ機の平面断面図である。
【図４】同パチンコ機のパトランプボタンユニット、左固定カバー、右固定カバー及びカバーシートの分解斜視図である。
【図５】同パチンコ機のパトランプボタンユニットの操作本体ユニット及びベースユニットの分解斜視図である。
【図６】同パチンコ機の要部側面断面図である。
【図７】同パチンコ機のパトランプボタンユニットの要部側面断面図である。
【図８】同パチンコ機の要部正面断面図である。
【図９】同パチンコ機のパトランプボタンユニットの装着手順の第１工程（ベースユニットの装着工程）を示す図である。
【図１０】同パチンコ機のパトランプボタンユニットの装着手順の第２工程（操作本体ユニットの装着工程）を示す図である。
【図１１】同パチンコ機のパトランプボタンユニットの装着手順の第３工程（カバーユニットの装着・固定工程）を示す図である。
【図１２】同パチンコ機のパトランプボタンユニットの装着手順の第４工程（左固定カバーの装着・固定工程）を示す図である。
【図１３】同パチンコ機のパトランプボタンユニットの装着完了後の状態を示す図である。
【発明を実施するための形態】
【００１６】
以下、本発明の実施形態を図面に基づいて詳述する。図１〜図１３は本発明をパチンコ機に採用した一実施形態を例示している。図１及び図２において、遊技機本体１は、矩形状の外枠２と、この外枠２の前面側に着脱、開閉自在に枢着された内枠３とを備えている。
【００１７】
外枠２はその前面側の下端部に左右方向に配置された前下枠板４を有し、この前下枠板４の上側に内枠３が配置されている。内枠３は例えば合成樹脂製で、外枠２の前面側に当接する矩形状の外周枠５と、この外周枠５の内側上部に設けられた遊技盤装着枠６と、この遊技盤装着枠６の下側で外周枠５の内側下部に設けられた下セット板７とを一体に備え、外周枠５の左右一端側（ここでは左端側）が例えば上下一対のヒンジ手段８により外枠２に着脱、開閉自在に枢着されている。また、内枠３は施錠手段９により外枠２に対して閉状態でロックされ、所定方向へのキー操作によりそのロックを解除可能となっている。
【００１８】
下セット板７には、例えばその左右方向略中央に発射手段１０が、その発射手段１０の右側に下部スピーカ１１が配置されている。また、遊技盤装着枠６には前側から遊技盤１２が着脱自在に装着されている。遊技盤１２の前面側には、発射手段１０から発射された遊技球を案内するガイドレール１３が環状に装着されると共に、そのガイドレール１３の内側の遊技領域１２ａに、センターケース１４、普通図柄始動手段１５、特別図柄始動手段１６、大入賞手段１７、普通入賞手段１８等の各種遊技部品が配置されている。
【００１９】
センターケース１４は、液晶式その他の画像表示手段２１に対応する表示窓２２が形成された表示枠体２３を備え、この表示枠体２３上に、普通図柄表示手段２４、特別図柄表示手段２５等が設けられている。また、画像表示手段２１は、演出図柄表示手段２６等を構成している。
【００２０】
普通図柄表示手段２４は、通過ゲート等よりなる普通図柄始動手段１５が遊技球を検出することを条件に普通図柄を所定時間変動させ、普通図柄始動手段１５による遊技球検出時に取得された当たり判定乱数値が予め定められた当たり判定値と一致する場合には当たり態様で、それ以外の場合には外れ態様で変動を停止させるようになっている。
【００２１】
特別図柄始動手段１６は、特別図柄表示手段２５による図柄変動を開始させるためのもので、例えば非開閉式の上特別始動口１６ａと開閉式の下特別始動口１６ｂとを備えており、普通図柄表示手段２４の変動後の停止図柄が当たり態様となって普通利益状態が発生したときに、下特別始動口１６ｂを所定時間、所定回数だけ開放するように構成されている。
【００２２】
特別図柄表示手段２５は、特別図柄始動手段１６の特別始動口１６ａ，１６ｂの何れかに遊技球が入賞することを条件に特別図柄を所定時間変動させ、特別始動口１６ａ，１６ｂへの入賞時に取得された大当たり判定乱数値が予め定められた大当たり判定値と一致する場合には所定の大当たり態様で、それ以外の場合には外れ態様で停止させるようになっている。
【００２３】
演出図柄表示手段２６は、例えば特別図柄表示手段２５による特別図柄の変動表示と並行して演出図柄を変動表示するもので、１個又は複数個、例えば左右方向に３個の演出図柄を各種の演出画像と共に画像表示手段２１上で変動表示可能に構成されており、特別図柄始動手段１６の特別始動口１６ａ，１６ｂの何れかに遊技球が入賞することを条件に特別図柄の変動開始と同時に所定の変動パターンに従って演出図柄の変動を開始すると共に、特別図柄の変動停止と同時に最終停止するように、演出図柄を左、右、中等の所定の順序で停止させるようになっている。
【００２４】
大入賞手段１７は、遊技球が入賞可能な開状態と入賞不可能な閉状態とに切り換え可能な開閉式入賞手段で、特別図柄表示手段２５の変動後の停止図柄が大当たり態様となることに基づいて特別利益状態が発生したときに所定の開放パターンに従って開放し、その上に落下した遊技球を内部へと入賞させるようになっている。
【００２５】
また、内枠３には、遊技盤装着枠６の前側に対応するガラス扉（上部構造体）３１と、下セット板７の前側に対応する下開閉扉（所定構造体）３２とが上下に隣接して配置され、内枠３用のヒンジ手段８と同一側（ここでは左端側）に配置されたヒンジ手段３３，３４により内枠３に対して着脱、開閉自在に枢着されている。
【００２６】
ガラス扉３１は遊技盤１２の前面側を覆う矩形状で、図１〜図３等に示すように、遊技盤１２の遊技領域１２ａを透視可能な窓孔を有し且つその左右方向一端側がヒンジ手段３３により支持される板金製の扉枠３５と、この扉枠３５の前側に装着された合成樹脂製の化粧カバー３６と、扉枠３５の裏側に装着されたガラスユニット３７とを備え、閉状態のときに扉枠３５の外縁側が内枠３の外周枠５の前側に略当接し、ガラスユニット３７が遊技盤１２のガイドレール１３の前側に近接して遊技領域１２ａを前側から略閉鎖するようになっている。例えば扉枠３５の下縁部は後ろ向きに折り曲げられ、上係合部３５ａを形成している（図６）。また、ガラス扉３１は施錠手段９により内枠３に対して閉状態でロックされ、例えば内枠３の外枠２に対する解錠時とは異なる方向へのキー操作（所定の解錠操作）によりそのロックを解除可能となっている。
【００２７】
下開閉扉３２は、図１〜図３等に示すように、下セット板７の前側を覆う横長矩形状に形成され且つその左右方向一端側がヒンジ手段３４により支持される台板４１と、この台板４１の前側上部に配置され且つ発射手段１０に供給するための遊技球を貯留する上貯留皿４２と、台板４１の前側下部に配置され且つ例えば上貯留皿４２が満杯状態のときの余剰球を貯留する下貯留皿４３と、台板４１の例えば右端側に前向き突出状に設けられ且つ発射手段１０を作動させるための発射ハンドル４４と、台板４１、上貯留皿４２、下貯留皿４３等を前側から覆う化粧カバー４５と、台板４１の裏側に配置され且つ発射手段１０の発射動作に連動して上貯留皿４２からの遊技球を１個ずつ発射手段１０へと供給する球送り手段４６とを備えている。
【００２８】
台板４１は合成樹脂製で、払出手段（図示省略）から払い出された遊技球を上貯留皿４２に排出するための払い出し案内樋４７（図２）が例えば左端側上部に、上貯留皿４２内の遊技球を球送り手段４６に供給するための球送り口（図示省略）が例えば左右方向略中央に配置されている。台板４１の背面側には板金製の補強板４８が着脱自在に装着されており、その補強板４８の上縁部には、台板４１の上縁側に沿って下係合部４８ａが設けられている。この下係合部４８ａは、図６に示すように台板４１の上縁側よりも若干上側に突出した位置で補強板４８の上縁部を前向きに折り曲げることにより形成されており、ガラス扉３１を閉じたとき、ガラス扉３１側の上係合部３５ａがこの下係合部４８ａに前側から係合して、下開閉扉３２の開方向への移動が規制されるようになっている。
【００２９】
即ち、下開閉扉３２は、ガラス扉３１が閉じた状態では開くことができず、キー操作によってガラス扉３１のロックが解除され、ガラス扉３１が開かれることによって初めて開放可能な状態となる。
【００３０】
上貯留皿４２は、図３に示すように平面視で横長状の半楕円形で、例えば台板４１の前側上部に一体に形成されており、払い出し案内樋４７から前向きに排出された遊技球を貯留すると共にそれら遊技球を台板４１上の球送り口を経て球送り手段４６に供給するようになっている。なお、上貯留皿４２の例えば右端側には、上貯留皿４２内の遊技球を下貯留皿４３側に抜き取るための球抜き操作部４９が設けられている。
【００３１】
化粧カバー４５は、図１等に示すように、上貯留皿４２を覆う上皿カバー部５１、下貯留皿４３を覆う下皿カバー部５２、上皿カバー部５１と下皿カバー部５２とを下貯留皿４３の左右両側で連結する連結カバー部５３，５４等を例えば一体に備え、台板４１の前側に着脱自在に固定されている。
【００３２】
図３等に示すように、上皿カバー部５１上には、例えば上面側右端部にＣＲ操作パネル５８が配置され、また左右方向略中央にチャンスボタン５９が、例えばそのチャンスボタン５９の左側にパトランプボタン６０が、チャンスボタン５９の右側に十字キー６１が夫々配置されている。ＣＲ操作パネル５８は、遊技機本体１に隣接するＣＲユニット（図示省略）を操作するためのもので、残高表示部６２、球貸しボタン６３、返却ボタン６４等を備えている。
【００３３】
チャンスボタン５９、パトランプボタン６０及び十字キー６１は、例えば演出図柄表示手段２６による図柄変動中に実行されるボタン演出等において用いられるもので、例えばボタン演出中に画像表示手段２１上に表示される指示に従って遊技者が所定の操作を行うことにより、その操作内容に応じた演出が実行されるようになっている。なお、例えば十字キー６１は、図柄変動中の演出に使用されるだけでなく、例えばデモ中等に行われる演出モードの選択等に用いることも可能である。
【００３４】
それらチャンスボタン５９、パトランプボタン６０及び十字キー６１のうち、パトランプボタン６０は、例えば上皿カバー部５１から左連結カバー部５３に跨るように配置されるパトランプボタンユニット（操作ユニット）７０上に設けられている。このパトランプボタンユニット７０は、図４等に示すように、パトランプボタン６０を含む操作本体ユニット（操作本体部）７１と、この操作本体ユニット７１を所定の操作方向に移動可能な状態で支持するベースユニット（ベース手段）７２と、それら操作本体ユニット７１及びベースユニット７２を、パトランプボタン６０が操作可能な状態で外側から覆うカバーユニット（本体カバー）７３とを備え、例えば上皿カバー部５１から左連結カバー部５３に跨って形成されたパトランプボタンユニット収容部７４（図９等）内に着脱可能に装着されている。
【００３５】
なお、パトランプボタンユニット７０は、予め１つのユニットに組み上げられた状態でパトランプボタンユニット収容部７４に対する着脱を行うのではなく、ベースユニット７２、操作本体ユニット７１及びカバーユニット７３をその順序で順次個別に装着し、また取り外しはその逆の順序で行うようになっている。
【００３６】
操作本体ユニット７１は、図４〜図７に示すように、例えば中央が開口したリング状に形成されたボタンベース部材（操作ベース部材）７５と、このボタンベース部材７５の一端側に着脱自在に固定されるパトランプボタン（操作部材）６０と、ボタンベース部材７５の他端側に装着される複数、例えば三本のガイドシャフト７６と、これらガイドシャフト７６に夫々外装されるコイルバネ７７とを備えている。
【００３７】
ボタンベース部材７５には、例えばその内周に沿って上端面７５ａ側に内周壁７８が突設されると共に、パトランプボタン６０を固定するための複数（ここでは三つ）の固定座７９と、ガイドシャフト７６を固定するための複数（ここでは三つ）のシャフト固定部８０とが、夫々周方向に略等ピッチで配置されている。固定座７９は、ボタンベース部材７５の上端面７５ａから下端面７５ｂ側に向けて凹入状に形成されている。
【００３８】
また、シャフト固定部８０には、ボタンベース部材７５の中心軸に平行な例えば貫通孔８０ａが形成されており、ガイドシャフト７６は、その貫通孔８０ａに対して下側から嵌入されることにより、下端側をボタンベース部材７５の下側に突出させた状態でボタンベース部材７５に固定されている。
【００３９】
ガイドシャフト７６に装着されるコイルバネ７７には、その一端側に、ボタンベース部材７５に係合してガイドシャフトからの脱落を阻止する抜け止め手段８１が設けられている。この抜け止め手段８１は、図７に示すように、コイルバネ７７の一端側（上端側）からボタンベース部材７５の外周（周壁）に沿って上端面７５ａ側に延設された延設部８１ａと、この延設部８１ａの先端側をボタンベース部材７５の上端面７５ａに沿って例えばその中心側に折り曲げて形成された係合部８１ｂとで構成されており、コイルバネ７７をガイドシャフト７６に対してその下端側から外装させ、抜け止め手段８１の係合部８１ｂをボタンベース部材７５の上端面（被係合部）７５ａに係合させることにより、コイルバネ７７がガイドシャフト７６の上端部に保持されるようになっている。なお、ボタンベース部材７５の表面に、コイルバネ７７の抜け止め手段８１を収容する溝を形成することが望ましい。
【００４０】
また、ボタンベース部材７５上の例えば下端面７５ｂ側には、ベースユニット７２側に設けられた操作検出スイッチ８２に対する被検出部８３（図５）が例えば突起状に一体形成されている。
【００４１】
パトランプボタン６０は、例えば着色透明の合成樹脂製で、例えば半球状の操作部６０ａを有する膨出状のボタンレンズ部８４と、このボタンレンズ部８４の下端側縁部から例えば鍔状に形成された底壁部８５と、この底壁部８５の外周側から前記ボタンレンズ部８４の膨出側に向けて延設された外壁部８６と、ボタンベース部材７５の固定座７９に対応して底壁部８５からボタンレンズ部８４の膨出方向とは反対向きに突設された複数（ここでは三つ）の固定基部８７と、ボタンベース部材７５のシャフト固定部８０に対応して底壁部８５からボタンレンズ部８４の膨出側とは反対向きに突設された複数（ここでは三つ）の外れ止め部８８とを一体に備え、固定基部８７をボタンベース部材７５の固定座７９に対して上側から嵌め込んだ状態で、それら固定座７９と固定基部８７とをボタンベース部材７５の下側からねじ止めにより固定することによってボタンベース部材７５に対して着脱自在に装着されている。
【００４２】
ボタンレンズ部８４は、半球状の操作部６０ａと円筒状の胴体部６０ｂとを一体に備え、例えばその内面側には任意の乱反射加工が施されており、その下端側縁部がボタンベース部材７５の内周壁７８の外側に嵌合している。
【００４３】
底壁部８５は、パトランプボタン６０をボタンベース部材７５に固定する際にボタンベース部材７５の上端面７５ａに当接する部分で、その外周側はボタンベース部材７５の外側まで張り出しており、その張り出し部分に、ボタンベース部材７５の外周面に沿って外れ止め部８８が突設されている。この外れ止め部８８は、ボタンベース部材７５に固定されたガイドシャフト７６にコイルバネ７７を装着した状態でパトランプボタン６０をボタンベース部材７５に装着したとき、各コイルバネ７７の抜け止め手段８１に対応する位置でボタンベース部材７５の外周面に当接又は近接するようになっている。この外れ止め部８８により、抜け止め手段８１のボタンベース部材７５に対する係合解除方向への移動が阻止されるため、操作本体ユニット７１が組み立てられた状態ではコイルバネ７７はガイドシャフト７６の上端部に確実に保持され、脱落することはない。
【００４４】
また、底壁部８５の上面側には、パトランプボタン６０の胴体部６０ｂと外壁部８６との間に上向きに開放する周溝８９が形成されている。
【００４５】
ベースユニット７２は、図４〜図６等に示すように、操作本体ユニット７１を略上下方向（所定の操作方向）に移動可能な状態で支持するボタン支持ケース９１と、操作検出スイッチ８２が装着されたスイッチ基板９２と、一又は複数のＬＥＤ９３が装着された発光基板９４と、発光基板９４のＬＥＤ装着面側に配置される反射レンズ９５と、一又は複数（ここでは二つ）のサイドランプ９６ａ，９６ｂとを備え、例えばパトランプボタンユニット収容部７４内の底壁部７４ａに着脱自在に固定されている。
【００４６】
ボタン支持ケース９１は、略円形の底壁部９８と、この底壁部９８の外縁側から操作本体ユニット７１側のボタンベース部材７５の外周に沿って所定高さに立設された周壁部９９とを一体に備えている。底壁部９８上には、操作本体ユニット７１側のボタンベース部材７５に対応するドーナツ型の外周領域９８ａと、その内側の内領域９８ｂとが設けられている。
【００４７】
底壁部９８上の外周領域９８ａには、操作本体ユニット７１側のガイドシャフト７６に対応して複数（ここでは三つ）のガイド孔１０１が設けられると共に、操作検出スイッチ８２が配置されている。ガイド孔１０１は、ガイドシャフト７６をその軸方向に移動可能に支持するもので、操作本体ユニット７１を装着する際にガイドシャフト７６が上側から挿入されるようになっている。なお、ガイド孔１０１は、コイルバネ７７より小径に形成されているため、操作本体ユニット７１のガイドシャフト７６をガイド孔１０１に挿入すると、図７に示すようにコイルバネ７７の下端側がガイド孔１０１の上部外側の面に当接する。これにより、操作本体ユニット７１は、ガイドシャフト７６に沿って移動可能に保持されると共にコイルバネ７７により軸方向上向きに弾性付勢された状態となる。
【００４８】
操作検出スイッチ８２は、例えば透過型フォトセンサにより構成され、操作本体ユニット７１側の被検出部８３に対応して外周領域９８ａ内に配置されており、操作本体ユニット７１がコイルバネ７７の付勢力に抗して所定の操作位置まで移動したときに被検出部８３を検出して検出信号を出力するようになっている。なお、底壁部９８上の外周領域９８ａには、例えば操作本体ユニット７１側の被検出部８３に対応して開口部１０２が形成されており、スイッチ基板９２は、図５に示すように操作検出スイッチ８２を開口部１０２から上側に露出させた状態で底壁部９８の裏側に着脱自在に固定されている。
【００４９】
底壁部９８上の内領域９８ｂには、例えば円盤状に形成された発光基板９４が着脱自在に固定されている。この発光基板９４の上面側には、複数のＬＥＤ９３が例えば中心から略放射状に配置されており、点灯させるＬＥＤ９３を周方向に順次切り替えることにより、回転体を用いることなく、擬似的に回転灯と同様の発光状態を実現することが可能となっている。
【００５０】
なお、ボタン支持ケース９１は、例えば底壁部９８上の外周領域９８ａ内の複数箇所においてねじ止めすることによりパトランプボタンユニット収容部７４内の底壁部７４ａに固定されている。
【００５１】
反射レンズ９５は、発光基板９４のＬＥＤ９３から発せられた光をより回転灯による発光状態に似せるためのもので、例えば発光基板９４と略同径の円筒状に形成され且つその上端開口部が斜めに形成された外レンズ部１０３と、その外レンズ部１０３の上端部内側に配置された漏斗状の内レンズ部１０４と、内レンズ部１０４の中心部から上向きに突設された中心レンズ部１０５と、例えば外レンズ部１０３の下端側から外向きに突設された複数の固定フランジ１０６とを一体に備え、固定フランジ１０６を、例えば底壁部９８上の外周領域９８ａに設けられたレンズ固定基部１０７にねじ止めすることによりボタン支持ケース９１に対して着脱自在に固定されている。反射レンズ９５には、例えば内レンズ部１０４の裏面等に乱反射加工が施されている。
【００５２】
サイドランプ９６ａ，９６ｂは、一又は複数のＬＥＤ１０８ａ，１０８ｂが設けられた発光基板１０９ａ，１０９ｂとレンズ１１０ａ，１１０ｂとを備え、例えばボタン支持ケース９１の外周側に一体に形成されたサイドランプ支持台９１ａ，９１ｂ上に配置されている。
【００５３】
カバーユニット７３は、図４、図６等に示すように反射カバー１１１とアウターレンズ１１２とで構成され、下開閉扉３２に対して着脱可能に固定されており、このカバーユニット７３を取り外さなければ操作本体ユニット７１及びベースユニット７２を取り外すことはできないようになっている。
【００５４】
反射カバー１１１は、操作本体ユニット７１及びベースユニット７２を、パトランプボタン６０及びサイドランプ９６ａ，９６ｂのみを露出させた状態で外側から覆うもので、パトランプボタン６０の周囲を取り囲むパトランプ反射部１１３と、サイドランプ９６ａ，９６ｂの周囲を取り囲むサイドランプ反射部１１４ａ，１１４ｂと、例えば二つの固定フランジ１１５，１１６とを備え、例えばその外面側にはメッキ処理が施されている。
【００５５】
パトランプ反射部１１３及びサイドランプ反射部１１４ａ，１１４ｂは、上側に開く略漏斗状に形成されている。また、パトランプ反射部１１３の下縁部１１３ａは、コイルバネ７７によって軸方向上向きに弾性付勢されている操作本体ユニット７１の周溝８９内に上側から当接することにより、操作本体ユニット７１を所定の非操作位置（被検出部８３が操作検出スイッチ８２によって検出されない位置）に保持するようになっている。
【００５６】
固定フランジ１１５，１１６は、例えば上貯留皿４２側の縁部に沿ってパトランプボタンユニット収容部７４の左右両側に設けられたカバーユニット固定台１１７，１１８（図１１等）に対応して反射カバー１１１の左右両端側に一体に設けられており、例えば左側の固定フランジ１１５上には上面側に位置決め突起１１５ａが設けられ、また例えば右側の固定フランジ１１６上にはねじ挿通孔１１６ａが設けられている。
【００５７】
アウターレンズ１１２は、操作本体ユニット７１及びベースユニット７２を、パトランプボタン６０のみを露出させた状態で反射カバー１１１の外側から覆うもので、パトランプボタン６０を露出させるための操作開口部１２１と、例えば二つの固定フランジ１２２，１２３と、係合爪１２４とを備えている。
【００５８】
操作開口部１２１は、上側に開く略漏斗状で、反射カバー１１１側のパトランプ反射部１１３の外側に配置され、例えば操作本体ユニット７１が所定の非操作位置にあるとき、パトランプボタン６０のうち、例えば半球状の操作部６０ａのみを外部に露出させるようになっている（図６）。
【００５９】
固定フランジ１２２，１２３は、反射カバー１１１側の固定フランジ１１５，１１６の上側に夫々重なるように、例えばアウターレンズ１１２の左右両端側に一体に設けられており、例えば左側の固定フランジ１２２上には、反射カバー１１１側の固定フランジ１１５上の位置決め突起１１５ａに対応する位置決め孔１２２ａとねじ止め孔１２２ｂとが設けられ、また例えば右側の固定フランジ１２３上には反射カバー１１１側の固定フランジ１１６上のねじ挿通孔１１６ａに対応するねじ挿通孔１２３ａが設けられている。
【００６０】
係合爪１２４は、例えば反射カバー１１１上における固定フランジ１２２，１２３から最も遠い位置、例えば前縁側略中央に配置されている。なお、例えば化粧カバー４５上には、例えば内面側に係合爪１２４に対応する被係合部１２５（図６）が設けられている。
【００６１】
これら反射カバー１１１及びアウターレンズ１１２を固定するための左右のカバーユニット固定台１１７，１１８のうち、左カバーユニット固定台１１７は、図１１等に示すように例えば台板４１とパトランプボタンユニット収容部７４との間に配置され、例えば上貯留皿４２と一体に設けられており、その上面側には左固定カバー１２６が着脱自在に装着されるようになっている。
【００６２】
左カバーユニット固定台１１７上には、固定フランジ１２２上のねじ止め孔１２２ｂに対応する位置に、この固定フランジ１２２をねじ止めするための第１固定基部１２７が設けられ、また台板４１の前側近傍には、左固定カバー１２６をねじ止めするための第２固定基部１２８が設けられている。
【００６３】
左固定カバー（離脱阻止手段，特定離脱阻止手段）１２６は、図４，図１２等に示すように、左カバーユニット固定台１１７の略全体を覆う形状に形成され、その一端側近傍には第２固定基部１２８に対応するねじ止め孔１２９が、他端側には例えば突起状の係合部１３０が設けられており、この係合部１３０を例えばカバーユニット７３側の被係合部１３１に係合させ、固定ねじ（第２固定手段）１３２を、後端側のねじ止め孔１２９を介して左カバーユニット固定台１１７の第２固定基部１２８に下向きにねじ込むことにより、カバーユニット７３の固定フランジ１１５，１２２を上側から覆った状態で左カバーユニット固定台１１７に着脱自在に固定されるようになっている。
【００６４】
ここで、ねじ止め孔１２９は台板４１の前側近傍に配置されており、ガラス扉３１を閉じた状態では、図６に示すように、ねじ止め孔１２９に装着された固定ねじ（第２固定手段）１３２の頭部（解除操作部）１３２ａがガラス扉３１の化粧カバー３６の下端面３６ａによって操作不可能な状態に覆われるようになっている。即ち、左カバーユニット固定台１１７に固定された左固定カバー（離脱阻止手段）１２６は、ガラス扉３１を閉じた状態では固定ねじ１３２を操作することができないために左カバーユニット固定台１１７から取り外すことはできないが、ガラス扉３１を開けば、固定ねじ１３２の頭部１３２ａの上側が開放されて操作可能となり、左カバーユニット固定台１１７から取り外すことが可能となる。
【００６５】
また、右カバーユニット固定台１１８は、図１１等に示すように例えばパトランプボタンユニット収容部７４とその右側のチャンスボタン５９との間に配置され、例えば上貯留皿４２と一体に設けられており、その上面側には右固定カバー１３３が着脱自在に装着されるようになっている。
【００６６】
右カバーユニット固定台１１８上には、右固定カバー１３３をねじ止めするための一又は複数、例えば二つの第１，第２固定基部１３４，１３５が設けられている。これら第１，第２固定基部１３４，１３５のうちの第１固定基部１３４は、固定フランジ１１６，１２３上のねじ挿通孔１１６ａ，１２３ａに対応する位置に設けられている。
【００６７】
右固定カバー（補助装着部材）１３３は、図４，図１１等に示すように、右カバーユニット固定台１１８の略全体を覆う形状に形成されると共に、右カバーユニット固定台１１８側の第１，第２固定基部１３４，１３５に対応する第１，第２ねじ止め孔１３６，１３７が設けられており、固定フランジ１１６，１２３の上側から右カバーユニット固定台１１８上に載置され、固定ねじ（第１固定手段）１３８を第１ねじ止め孔１３６、固定フランジ１１６，１２３上のねじ挿通孔１１６ａ，１２３ａを介して第１固定基部１３４に、また固定ねじ１３９を第２ねじ止め孔１３７を介して第２固定基部１３５に夫々ねじ込むことにより、カバーユニット７３の固定フランジ１１６，１２３と共に右カバーユニット固定台１１８に着脱自在に固定されるようになっている。
【００６８】
また、右固定カバー１３３は、その上面側の略全体が平坦なカバーシート貼着面（所定領域）１３３ａとなっており、右カバーユニット固定台１１８にねじ止め固定された状態でこのカバーシート貼着面１３３ａ上に目隠し用のカバーシート１４０が貼着されるようになっている。第１，第２ねじ止め孔１３６，１３７は、このカバーシート貼着面１３３ａ内に形成された凹入部１４１，１４２内に設けられており、固定ねじ１３８，１３９の頭部１３８ａ，１３９ａはこの凹入部１４１，１４２内に収まってカバーシート貼着面１３３ａの外側に突出しないようになっている。
【００６９】
カバーシート１４０は、例えば不透明な合成樹脂等よりなるシート材で、その表側には例えば任意の装飾プリントが施され、また裏側には粘着剤が塗布されており、これを右固定カバー１３３のカバーシート貼着面１３３ａに貼着することにより、外部からは固定ねじ（第１固定手段）１３８，１３９の頭部（解除操作部）１３８ａ，１３９ａが視認できないようになっている。
【００７０】
以下、パトランプボタンユニット７０を下開閉扉３２に対して着脱する際の手順を具体的に説明する。パトランプボタンユニット７０を下開閉扉３２上に取り付ける際には、まずパトランプボタンユニット収容部７４内に引き出されているハーネス側コネクタ（図示省略）を、ベースユニット７２上の発光基板９４，１０９ａ，１０９ｂ及びスイッチ基板９２上に設けられた各コネクタ（図示省略）に夫々接続した上で、図９に示すように、ベースユニット７２をパトランプボタンユニット収容部７４内の底壁部７４ａにねじ止めにより固定する。
【００７１】
次に、図１０に示すように、操作本体ユニット７１のガイドシャフト７６を、ベースユニット７２側の対応するガイド孔１０１に夫々挿入することにより、操作本体ユニット７１をベースユニット７２上に装着する。
【００７２】
続いて、図１１に示すように、反射カバー１１１とアウターレンズ１１２とを上下に重ね合わせ、反射カバー１１１側の位置決め突起１１５ａをアウターレンズ１１２側の位置決め孔１２２ａに嵌合させた状態で、それら反射カバー１１１とアウターレンズ１１２とを、アウターレンズ１１２側の係合爪１２４を化粧カバー４５上の被係合部１２５に係合させつつ（図６）、ベースユニット７２及び操作本体ユニット７１に被せるように装着する。もちろん、可能であれば反射カバー１１１を先に装着し、続いてアウターレンズ１１２を装着してもよい。
【００７３】
そして、図１１に示すように、それら反射カバー１１１とアウターレンズ１１２とを、それらの左右両端側において左右のカバーユニット固定台１１７，１１８に対してねじ止めにより固定する。ここで、左端側については、アウターレンズ１１２側の固定フランジ（被固定部）１２２上のねじ止め孔１２２ｂを介して左カバーユニット固定台１１７上の第１固定基部１２７に固定ねじ（特定固定手段）１４３をねじ込むことにより、アウターレンズ１１２側の固定フランジ１２２を左カバーユニット固定台１１７に固定する。これにより、反射カバー１１１側の固定フランジ１１５についても、アウターレンズ１１２側の固定フランジ１２２と左カバーユニット固定台１１７との間に挟まれて固定される（図６）。
【００７４】
一方、右端側については、固定フランジ１１６，１２３の上側から右カバーユニット固定台１１８上に右固定カバー１３３を載置し、その右固定カバー１３３の第１，第２ねじ止め孔１３６，１３７を介して右カバーユニット固定台１１８上の第１，第２固定基部１３４，１３５に固定ねじ１３８，１３９をねじ込むことにより、固定フランジ１１６，１２３が右固定カバー１３３と共に右カバーユニット固定台１１８上に固定される（図８）。
【００７５】
右固定カバー１３３のねじ止め固定が終了すると、その右固定カバー１３３の上面側のカバーシート貼着面１３３ａにカバーシート１４０を貼着する（図１１）。これにより、固定ねじ１３８，１３９がカバーシート１４０の下側に隠れて外部から視認できない状態となる（図１３）。
【００７６】
また、図１２に示すように、固定ねじ１４３によって固定フランジ１１５，１２２が固定された後の左カバーユニット固定台１１７上に、左固定カバー１２６を装着する。即ち、まず一端側の係合部１３０をカバーユニット７３側の被係合部１３１に係合させた状態で（図６）、左固定カバー１２６を左カバーユニット固定台１１７上に載置する。これにより、固定フランジ１１５，１２２を固定している固定ねじ１４３を含む左カバーユニット固定台１１７上の略全体が左固定カバー１２６により上側から覆われた状態となる。そしてその状態で、固定ねじ１３２を、ねじ止め孔１２９を介して第２固定基部１２８に下向きにねじ込むことによって左固定カバー１２６を左カバーユニット固定台１１７上に固定すれば、下開閉扉３２へのパトランプボタンユニット７０の取り付けは完了する（図１３）。
【００７７】
以上のような手順で下開閉扉３２に装着されたパトランプボタンユニット７０は、固定ねじ１３８，１４３による固定を解除しなければ取り外すことはできないが、固定ねじ１４３については、図６，図１３に示すようにその頭部１４３ａが左固定カバー１２６によって覆われているため、この固定ねじ１４３による固定を解除するためにはまず左固定カバー１２６を取り外す必要がある。
【００７８】
一方、下開閉扉３２とガラス扉３１とを内枠３に対して閉じた状態では、図６，図８，図１３に示すように左固定カバー１２６の後端側を固定している固定ねじ１３２の頭部１３２ａがガラス扉３１の化粧カバー３６の下端面３６ａによって操作不可能な状態に覆われるようになっている。更に、下開閉扉３２は、ガラス扉３１を閉じた状態では開くことができない。
【００７９】
即ち、ガラス扉３１を閉じた状態では、固定ねじ１３２による固定を解除することができないために左固定カバー１２６を取り外すことができず、また左固定カバー１２６を取り外さなければ固定ねじ１４３による固定フランジ１１５，１２２の固定を解除することができないため、結局パトランプボタンユニット７０を取り外すことはできない。従って、ガラス扉３１のロックを解除することができない一般の遊技者等がパトランプボタンユニット７０を無断で取り外すことはできない。
【００８０】
一方、固定ねじ１３８については、固定フランジ１１６，１２３と共に右固定カバー１３３を右カバーユニット固定台１１８に固定しているが、同じく右固定カバー１３３を固定している他の固定ねじ１３９と共にカバーシート１４０によって外部から視認不可能な状態に覆われているため、一般の遊技者はパトランプボタンユニット７０の取り付け構造を容易に知ることができず、軽い気持ちで操作ユニットを取り外して持ち帰ってしまう犯罪行為を抑制できる。
【００８１】
左固定カバー１２６の後端側を固定している固定ねじ１３２は、ガラス扉３１を前側に開放することによってその頭部１３２ａの上側が開放されて解除操作可能な状態となり、また右固定カバー１３３を固定している固定ねじ１３８についてはカバーシート１４０を剥がし取ることで解除操作可能な状態となる。従って、ガラス扉３１のロックを解除することができ、カバーシート１４０の下に固定ねじ１３８が存在することを知っている関係者であれば、取り付けとは逆の手順でパトランプボタンユニット７０を容易に取り外すことができる。
【００８２】
以上説明したように、本実施形態のパチンコ機では、パトランプボタンユニット（操作ユニット）７０を下開閉扉（所定構造体）３２に固定する固定ねじ（第１固定手段）１３８，１３９が配置されるカバーシート貼着面（所定領域）１３３ａに、固定ねじ１３８，１３９の頭部（解除操作部）１３８ａ，１３９ａを外部から視認不可能な状態に覆うカバーシート１４０を貼着しているため、一般の遊技者はパトランプボタンユニット７０の取り付け構造を容易に知ることができず、軽い気持ちで操作ユニットを取り外して持ち帰ってしまう犯罪行為を抑制できる。
【００８３】
また、遊技機本体１の前部に、ガラス扉（上部構造体）３１と下開閉扉（所定構造体）３２とが上下に隣接して配置され、少なくともガラス扉３１は開閉可能に枢支され且つ閉状態で所定の解錠操作により解除可能な状態にロックされ、固定ねじ（第２固定手段）１３２の頭部（解除操作部）１３２ａを、ガラス扉３１を閉じた状態ではそのガラス扉３１によって操作不可能な状態に覆われ、ガラス扉３１を開いた状態では操作可能な状態となる位置に配置しているため、関係者のみがパトランプボタンユニット（操作ユニット）７０を容易に着脱することが可能となり、一般の遊技者等が操作ユニットを取り外して持ち帰る行為を確実に防止できる。
【００８４】
また、パトランプボタンユニット（操作ユニット）７０を下開閉扉（所定構造体）３２に固定するための全ての固定ねじ（固定手段）１３２，１３８，１４３等が、カバーシート１４０、ガラス扉３１、カバーユニット７３等を含むカバー体によって操作不可能な状態に覆われているため、上記のような犯罪行為をより確実に防止できる。
【００８５】
以上、本発明の実施形態について詳述したが、本発明はこれらの実施形態に限定されるものではなく、本発明の趣旨を逸脱しない範囲で種々の変更が可能である。例えば、パトランプボタンユニット（操作ユニット）７０を下開閉扉（所定構造体）３２に固定するための固定ねじ（固定手段）のうち、上皿カバー部５１等の外表面側に配置されているもの、即ちカバーシート１４０を貼着しなければ外部から視認可能な位置に配置されている全ての固定ねじを覆うようにカバーシートを貼着してもよい。即ち、実施形態の場合、固定ねじ１３２の頭部１３２ａを覆うように左固定カバー１２６の上面側にもカバーシート１４０を貼着してもよい。
【００８６】
パトランプボタンユニット（操作ユニット）７０、左固定カバー１２６、右固定カバー１３３等を固定するための固定手段は、所定の解除操作部を操作することにより解除可能な状態に固定するものであればよく、ねじに限られるものではない。例えば相手側の被係合部に対して係脱自在に係合し且つ手動操作により係合解除側に弾性変形させることが可能な係合爪を固定手段として採用してもよい。
【００８７】
実施形態では、パトランプボタンユニット（操作ユニット）７０の一部を構成するカバーユニット（本体カバー）７３と共に右固定カバー１３３を固定ねじ（固定手段）１３８，１３９によって下開閉扉（所定構造体）３２に固定するように構成し、その右固定カバー１３３の外面側にカバーシート１４０を貼着したが、パトランプボタンユニット（操作ユニット）７０又はその一部を固定ねじ（固定手段）により下開閉扉（所定構造体）３２に直接固定する場合には、例えば下開閉扉３２の外表面上の所定領域に、固定ねじを覆うようにカバーシート１４０を貼着すればよい。
【００８８】
実施形態では、パトランプボタンユニット（操作ユニット）７０を下開閉扉３２に固定する固定ねじ１４３の頭部１４３ａを左固定カバー１２６で覆い、その左固定カバー１２６を下開閉扉３２に固定する固定ねじ（固定手段）１３２の頭部（解除操作部）１３２ａを、ガラス扉３１を閉じた状態ではそのガラス扉３１によって操作不可能な状態に覆われる位置に配置した例を示したが、パトランプボタンユニット（操作ユニット）７０を固定する固定手段（例えば実施形態における固定ねじ１４３）を、ガラス扉３１を閉じた状態ではそのガラス扉３１によって操作不可能な状態に覆われる位置に配置してもよい。
【００８９】
実施形態では操作ユニット７０上に一つの操作部６０ａのみを設けた例を示したが、操作ユニット７０上に複数、或いは複数種類の操作部を設けてもよい。また、操作ユニット７０は、予め１つのユニットに組み上げられた状態で所定構造体に対して着脱可能であってもよい。
【００９０】
実施形態ではガラス扉（上部構造体）３１と下開閉扉（所定構造体）３２とが上下に隣接して配置され、下開閉扉３２上にパトランプボタンユニット（操作ユニット）７０を装着した例を示したが、スロットマシンのように前面パネル全体が本体ケースに対して一体的に開閉するような構成の場合には、その前面パネル（所定構造体）上に操作ユニットを装着すればよい。この場合、例えば前面パネルを閉じた状態では操作ユニットの装着状態を解除できず、前面パネルを開くことによって操作ユニットの装着状態を解除可能となるように構成してもよい。更にこの場合、例えば操作ユニットの前面パネルからの離脱を阻止する離脱阻止手段及び／又は操作ユニットを固定ねじ等の固定手段により前面パネルに固定し、その固定手段のうちの少なくとも一つにおける解除操作部が、前面パネルを閉じた状態では例えば本体ケース上の所定部位によって操作不可能な状態に覆われ、前面パネルを開いた状態ではその所定部位から離れて操作可能な状態となる位置に配置してもよい。
【符号の説明】
【００９１】
１    遊技機本体
３１    ガラス扉（上部構造体）
３２    下開閉扉（所定構造体）
６０    パトランプボタン（操作部材）
６０ａ  操作部
７０    パトランプボタンユニット（操作ユニット）
７１    操作本体ユニット（操作本体部）
７２    ベースユニット（ベース手段）
７３    カバーユニット（本体カバー）
７５    ボタンベース部材（操作ベース部材）
７５ａ  上端面（被係合部）
７６    ガイドシャフト
７７    コイルバネ
８１    抜け止め手段
８１ｂ  係合部
８８    外れ止め部
１０１    ガイド孔
１２６    左固定カバー（離脱阻止手段）
１３２    固定ねじ（第２固定手段、固定手段）
１３２ａ  頭部（解除操作部）
１３３    右固定カバー（補助装着部材）
１３３ａ  カバーシート貼着面（所定領域）
１３８    固定ねじ（第１固定手段、固定手段）
１３８ａ  頭部（解除操作部）
１４３    固定ねじ（固定手段）
１４３ａ  頭部（解除操作部）
１３９    固定ねじ（第１固定手段、固定手段）
１４０    カバーシート
【図１】
0005324632.tif 000002
【図２】
0005324632.tif 000003
【図３】
0005324632.tif 000004
【図４】
0005324632.tif 000005
【図５】
0005324632.tif 000006
【図６】
0005324632.tif 000007
【図７】
0005324632.tif 000008
【図８】
0005324632.tif 000009
【図９】
0005324632.tif 000010
【図１０】
0005324632.tif 000011
【図１１】
0005324632.tif 000012
【図１２】
0005324632.tif 000013
【図１３】
0005324632.tif 000014